(57)【要約】【課題】  パチンコ機において複数の始動口の関連性を判りやすくする。【解決手段】  上振分装置４と下振分装置８とが、下振分装置８の接続用流入口８１を上振分装置４の接続用排出口４３から排出された遊技球が入球する位置にして上下に配置されている。普通電動役物７は第１始動口用排出口４２から排出された遊技球が入球する位置に、第２始動口１０は第２始動口用排出口８３から排出された遊技球が入球する位置に、ゲート９は普通図柄始動口用排出口８２から排出された遊技球が入球する位置に配されている。２つの振分装置４、８を介して、第１の大当たりを発生させるための普通電動役物７と第２の大当たりを発生させるための第２始動口１０とを関連付け、また普通電動役物７とゲート９とを関連付けている。普通電動役物７、第２始動口１０及びゲート９を比較的近い位置にできるので、それぞれの関連性が判り易く、遊技内容も判り易くなる。【選択図】  図１
2006340990.tif 000002
【特許請求の範囲】
【請求項１】
これに遊技球が進入したことを必須条件として図柄が変動表示される第１始動口と、
該変動表示された図柄が当たりを示す態様で確定表示されると開放作動する第１大入賞口と、
第２始動口に遊技球が進入すると開放作動する特定入球口と、
該特定入球口に入球した遊技球が特定領域に進入すると開放作動する第２大入賞口と、
流入口から入球した遊技球を第１排出口と第２排出口のいずれかから排出する少なくとも２つの振分装置と
を備え、
前記２つの振分装置は、相対的に下方に配された前記振分装置の流入口を、相対的に上方に配された前記振分装置の第１排出口又は第２排出口の一方から排出された遊技球が入球する位置にして上下に配置され、
前記第１始動口は、下位に配された前記振分装置の第１排出口及び第２排出口と上位に配された前記振分装置の第１排出口又は第２排出口の他方との３つの排出口から選択される１つの排出口から排出された遊技球が入球する位置に配され、
前記第２始動口は、前記３つの排出口の内で前記選択された排出口を除く２つから選択される１つの排出口から排出された遊技球が入球する位置に配されている
ことを特徴とする弾球遊技機。
【請求項２】
請求項１記載の弾球遊技機において、
前記第１始動口は、普通図柄作動口に遊技球が進入したことを必須条件として開放作動する普通電動役物であり、
前記普通図柄作動口は、前記３つの排出口の内で前記選択されずに残った排出口から排出された遊技球が入球する位置に配されている
ことを特徴とする弾球遊技機。
【請求項３】
請求項１または２記載の弾球遊技機において、
相対的に上方に配された前記振分装置の前記流入口の上方には、該流入口に遊技球を誘導するための遊技釘が配設されている
ことを特徴とする弾球遊技機。
【発明の詳細な説明】
【技術分野】
【０００１】
本発明は、弾球遊技機の技術分野に属する。
【背景技術】
【０００２】
弾球遊技機には、始動口に遊技球が進入したことを必須条件として図柄を変動表示し、その変動表示された図柄が当たりを示す態様で確定表示されると大当たりとなって大入賞口を開放作動する形式のもの（例えば第１種パチンコ機）や、始動口に遊技球が進入すると特定入球口が開放作動し、その特定入球口に入球した遊技球が特定領域に進入すると大当たりとなって大入賞口を開放作動する形式のもの（例えば第２種パチンコ機）等がある。
【０００３】
更には、上に例示したような大当たりの発生条件を２つ以上有するものもある（一例として特開２００１−２４６０８８号公報）。
また、始動口として、普通図柄作動口に遊技球が進入したことを必須条件として開放作動する普通電動役物が用いられることがある（特開平１０−１２７８７５号公報）。
【０００４】
或いは、流入口から入球した遊技球を第１排出口と第２排出口のいずれかから排出する振分装置を備えて、第１排出口又は第２排出口から排出された遊技球を始動口に進入させる構成としたものもある（特開２００２−１４３４２３号公報）。
【特許文献１】特開２００１−２４６０８８号公報
【特許文献２】特開平１０−１２７８７５号公報
【特許文献３】特開２００２−１４３４２３号公報
【発明の開示】
【発明が解決しようとする課題】
【０００５】
大当たりの発生条件が２つ以上ある弾球遊技機の場合、特許文献１に記載されているように、第１の大当たり状態を発生させるための始動口である特別図柄作動口と、第２の大当たり状態を発生させるための始動口である特定入賞口とが離れた位置にあり、一方の始動口への遊技に集中していれば他方の始動口への入球による遊技が突然開始される等、遊技者には遊技内容が判りにくいという課題や始動口の関連性が判りにくいという課題がある。
【課題を解決するための手段】
【０００６】
請求項１記載の弾球遊技機は、
これに遊技球が進入したことを必須条件として図柄が変動表示される第１始動口と、
該変動表示された図柄が当たりを示す態様で確定表示されると開放作動する第１大入賞口と、
第２始動口に遊技球が進入すると開放作動する特定入球口と、
該特定入球口に入球した遊技球が特定領域に進入すると開放作動する第２大入賞口と、
流入口から入球した遊技球を第１排出口と第２排出口のいずれかから排出する少なくとも２つの振分装置と
を備え、
前記２つの振分装置は、相対的に下方に配された前記振分装置の流入口を、相対的に上方に配された前記振分装置の第１排出口又は第２排出口の一方から排出された遊技球が入球する位置にして上下に配置され、
前記第１始動口は、下位に配された前記振分装置の第１排出口及び第２排出口と上位に配された前記振分装置の第１排出口又は第２排出口の他方との３つの排出口から選択される１つの排出口から排出された遊技球が入球する位置に配され、
前記第２始動口は、前記３つの排出口の内で前記選択された排出口を除く２つから選択される１つの排出口から排出された遊技球が入球する位置に配されている
ことを特徴とする。
【０００７】
請求項１記載の弾球遊技機では、第１始動口に遊技球が進入したことを必須条件として図柄が変動表示され、その変動表示された図柄が当たりを示す態様で確定表示されると第１大入賞口が開放作動する（第１の大当たり）。また、第２始動口に遊技球が進入すると特定入球口が開放作動し、その特定入球口に入球した遊技球が特定領域に進入すると第２大入賞口が開放作動する（第２の大当たり）。
【０００８】
なお、第１大入賞口と第２大入賞口は同じ大入賞口であってもよいし、別々であってもよい。また、第２大入賞口が特定入球口を兼ねていてもよい。
請求項１記載の弾球遊技機は、流入口から入球した遊技球を第１排出口と第２排出口のいずれかから排出する振分装置を少なくとも２つ備えており、これら２つの振分装置は、相対的に下方に配された振分装置の流入口（以下、「接続用流入口」とも言う。）を、相対的に上方に配された振分装置の第１排出口又は第２排出口の一方（以下、「接続用排出口」とも言う。）から排出された遊技球が入球する位置にして上下に配置されている。
【０００９】
そして、第１始動口は、下位に配された振分装置の第１排出口及び第２排出口と上位に配された振分装置の第１排出口又は第２排出口の他方との３つの排出口、つまり、２つの振分装置の合計４つの排出口の内で上の振分装置の接続用排出口を除いた３つの排出口から選択される１つの排出口（以下、「第１始動口用排出口」とも言う。）から排出された遊技球が入球する位置に配され、第２始動口は、３つの排出口の内で第１始動口用排出口を除いた２つから選択される１つの排出口（以下、「第２始動口用排出口」とも言う。）から排出された遊技球が入球する位置に配されている。
【００１０】
第１の大当たりを発生させるための第１始動口と、第２の大当たりを発生させるための第２始動口とを２つの振分装置を介して関連付けることができ、また第１始動口と第２始動口とを比較的近い位置にできるので、始動口同士の関連性が判り易く、遊技内容も判り易くなる。
【００１１】
下方に配された振分装置の接続用流入口には、上方に配された振分装置の接続用排出口から排出された遊技球のみが入球できる構成でもよいし、接続用排出口を経ない遊技球でも入球できる構成でもよい。
【００１２】
同様に、第１始動口には第１始動口用排出口を経ない遊技球でも入球できる構成にしてもよいし、第２始動口には第２始動口用排出口を経ない遊技球でも入球できる構成にしてもよい。
【００１３】
これら接続用排出口と接続用流入口、第１始動口用排出口と第１始動口、第２始動口用排出口と第２始動口とは、排出口から排出された遊技球が直接流入口又は始動口に入球するように構成されていてもよいし、樋や遊技釘等で形成した誘導経路を通って入球する構成でもよい。また、排出口から排出された遊技球が必ず流入口又は始動口に入球する構成でもよいし、入球しない可能性があってもよい。
【００１４】
振分装置は、上述のように接続用排出口と接続用流入口とを用いて上下に配置される２つがあれば充分であるが、３つ以上の振分装置を備えることもできる。
請求項２記載の弾球遊技機は、請求項１記載の弾球遊技機において、
前記第１始動口は、普通図柄作動口に遊技球が進入したことを必須条件として開放作動する普通電動役物であり、
前記普通図柄作動口は、前記３つの排出口の内で前記選択されずに残った排出口から排出された遊技球が入球する位置に配されている
ことを特徴とする。
【００１５】
２つの振分装置の排出口の内で接続用排出口を除いた３つの排出口の２つが第１始動口用排出口と第２始動口用排出口とになるので、１つ残る。この残った排出口（以下、「普通図柄作動口用排出口」とも言う。）から排出された遊技球が入球する位置に普通図柄作動口を配して、普通図柄作動口に遊技球が進入したことを必須条件として開放作動する普通電動役物を第１始動口としているので、接続用排出口を除いた３つの排出口から排出された遊技球は第１始動口（普通電動役物）、第２始動口、普通図柄作動口のいずれかに入球する可能性が極めて高く（必ず入球する構成も可能）、これら３つの排出口すべてに遊技上の価値を与えることができる。
【００１６】
また、普通図柄作動口に入球することにより変動する普通図柄が当たり図柄を表示すれば、第１始動口としての普通電動役物が開放作動し、第１始動口に入球するチャンスが増大し、ひいては第１大入賞口が開放作動する確率が高くなる。即ち、上方に配置された振分装置の流入口に入球すれば、３つの排出口から排出されるいずれの遊技球も大当たり遊技に関連することになる。この結果、上方に配置された振分装置の流入口に入球させるだけで、普通図柄を変動表示させ、第１始動口に入球させることができ、又は第２始動口に入球させることができ、異なる状態を発揮させながら大当たり遊技に関連させることができるという優れた効果を発揮する。
【００１７】
更に、第１始動口に遊技球が進入して図柄が変動表示されて当たりを示す態様で確定表示される確率、すなわち第１の大当たりが発生する確率と、第２始動口に遊技球が進入して開放作動した特定入球口に入球した遊技球が特定領域に進入する確率、すなわち第２の大当たりが発生する確率とに応じて第１始動口（普通電動役物）、第２始動口、普通図柄作動口の配置を変更することができ、仕様のバリエーションが豊富になる。
【００１８】
なお、普通図柄作動口には普通図柄作動口用排出口を経ない遊技球でも入球できる構成にしてもよい。
請求項３記載の弾球遊技機は、
請求項１または２記載の弾球遊技機において、
相対的に上方に配された前記振分装置の前記流入口の上方には、該流入口に遊技球を誘導するための遊技釘が配設されている
ことを特徴とする。
【００１９】
請求項３記載の弾球遊技機では、相対的に上方に配された振分装置の流入口の上方には、この流入口に遊技球を誘導するための遊技釘が配設されているので、この流入口に遊技球が入球する確率を高めることができる。
【００２０】
請求項３の構成にする場合、下方に配された振分装置の接続用流入口には、上方に配された振分装置の接続用排出口から排出された遊技球だけでなく、接続用排出口を経ない遊技球でも入球できる構成を採用するのが好ましい。接続用流入口には接続用排出口を経ない遊技球でも入球できる構成ということは、接続用排出口から排出された遊技球が、接続用排出口を経ない遊技球に邪魔されたり、遊技釘に当たる角度及び速度により流下方向が変化させられたりして、接続用流入口に入球しないこともある。従って、請求項３の構成にしても、下方に配された振分装置から排出された遊技球が入球する第１始動口（普通電動役物）、第２始動口又は普通図柄作動口の入球率の問題が少なくなる。
【００２１】
また、上方に配された振分装置の接続用排出口ではない方の排出口から排出された遊技球が入球する第１始動口（普通電動役物）、第２始動口又は普通図柄作動口についても、この振分装置を経ない遊技球が入球できる構成であれば、請求項３の構成にしても、同様に入球率の問題が少なくなる。
【発明を実施するための最良の形態】
【００２２】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
この実施例は、本発明を弾球遊技機の一種であるパチンコ機に適用した例である。
【００２３】
図１に示すように、パチンコ機の遊技盤１には、内外２本のガイドレール２ａ、２ｂによって囲まれる略円形の遊技領域３が形成されている。
遊技領域３のほぼ中央上部には、上振分装置４が設置されている。この上振分装置４は、全体として弓状であり、中央部には流入口４１が設けられ、左右の下端部にはそれぞれ排出口４２、４３が設けられている。
【００２４】
上振分装置４の内部には流入口４１から入球した遊技球を１：１の割合で排出口４２と排出口４３とに振り分けて誘導する通路が設けられている。このため、流入口４１から入球した遊技球は、排出口４２又は排出口４３に択一的に誘導されて、そこから排出される。これら排出口４２、４３は、各々第１排出口と第２排出口に該当するが、説明を簡明にするために、以下、第１始動口用排出口４２及び接続用排出口４３という。
【００２５】
また、遊技領域３には公知のパチンコ機と同様に多数の遊技釘５が植設されている（図示は一部のみ）。
上振分装置４の上方においては、遊技釘５が逆八の字状に配置されて誘導釘列６を形成しており、上方から流下してくる遊技球を流入口４１に誘導する構成になっている。なお、誘導釘列６の上半部の遊技釘５同士の間隔は遊技球が通過可能であり、誘導釘列６の左右上端の遊技釘６ａで横幅を規定される範囲に流入した遊技球のすべてが流入口４１に誘導されるわけではない。一方、中間の遊技釘６ｂから流入口４１までは、遊技釘５同士の間隔は遊技球の直径よりも小さいので、中間の遊技釘６ｂで横幅を規定される範囲に流入した遊技球はすべてが流入口４１に誘導される。
【００２６】
第１始動口用排出口４２の下方には、第１始動口となる普通電動役物７が配置されている。普通電動役物７は、いわゆる電動チューリップである。
普通電動役物７の命釘７ａは第１始動口用排出口４２に対向状になっており、設計上は、命釘７ａ間の上下方向の中心線が第１始動口用排出口４２の開口横幅の中心を通る。
【００２７】
また、命釘７ａと第１始動口用排出口４２との間隔は遊技球の直径を上回っているが、遊技球の直径の１．５倍には至らない。
命釘７ａと第１始動口用排出口４２との関係が上記のようになっているので、第１始動口用排出口４２から落下した遊技球が普通電動役物７に入球する確率は、普通電動役物７が閉鎖状態であってもきわめて高い。
【００２８】
但し、命釘７ａと第１始動口用排出口４２との間隔が上記の通りであるから、第１始動口用排出口４２から排出された遊技球が、例えば図１において左側から命釘７ａと第１始動口用排出口４２との間に進入した遊技球に邪魔されたり、命釘７ａに当たる角度及び速度により流下方向が変化させられたりして、普通電動役物７に入球しないこともある。
【００２９】
また、第１始動口用排出口４２を経ずに命釘７ａと第１始動口用排出口４２との間に進入した遊技球が閉鎖状態の普通電動役物７に入球することもある。
いうまでもないことではあるが、普通電動役物７が開放状態になれば、第１始動口用排出口４２を経ていない遊技球が普通電動役物７に入球するのは容易である。
【００３０】
普通電動役物７の右横には、下振分装置８が設置されている。
下振分装置８の構造は上振分装置４と同じであり、流入口８１（以下、接続用流入口８１）、第１排出口８２（以下、普通図柄始動口用排出口８２）及び第２排出口８３（以下、第２始動口用排出口８３）を備えている。
【００３１】
下振分装置８の接続用流入口８１は接続用排出口４３の下方に位置しており、その命釘８１ａと接続用排出口４３との位置及び寸法関係は、上述の普通電動役物７の命釘７ａと第１始動口用排出口４２との関係と同様である。
【００３２】
従って、接続用排出口４３から落下した遊技球が接続用流入口８１に入球する確率はきわめて高いが、横から命釘８１ａと接続用排出口４３との間に進入した遊技球に邪魔されたり、命釘８１ａに当たる角度及び速度により流下方向が変化させられたりして、接続用流入口８１に入球しないこともある。また、接続用排出口４３を経ずに命釘８１ａと接続用流入口８１との間に進入した遊技球が接続用流入口８１に入球することもある。
【００３３】
下振分装置８の普通図柄始動口用排出口８２の下方には、普通図柄始動口となるゲート９が配置されている。
普通図柄始動口用排出口８２とゲート９との間隔は遊技球の直径以下であり、またゲート９のための命釘が設けられていることもあって、普通図柄始動口用排出口８２から落下した遊技球は必ずゲート９を通過し、普通図柄始動口用排出口８２を経ない遊技球がゲート９に進入することはない。
【００３４】
下振分装置８の第２始動口用排出口８３の下方には、第２始動口１０が配置されている。  第２始動口用排出口８３と第２始動口１０との間隔は遊技球の直径以下であり、また第２始動口１０のための命釘が設けられていることもあって、第２始動口用排出口８３から落下した遊技球は必ず第２始動口１０を通過し、第２始動口用排出口８３を経ない遊技球が第２始動口１０に進入することはない。
【００３５】
上振分装置４の右横には、表示装置２０が設置されている。
表示装置２０には、特別図柄を表示するための特別図柄表示部２１、大当たり抽選の保留記憶数を表示するための特別図柄保留数表示ＬＥＤ２２、普通図柄を表示するための普通図柄表示部２３、普通図柄抽選の保留記憶数を表示するための普通図柄保留数表示ＬＥＤ２４が設けられている。
【００３６】
一方、ゲート９の下方には普通入賞口１１が配置され、その下方にはアタッカー式の大入賞装置１２が配置されている。
大入賞装置１２には大入賞口１３が設けられており、開閉板１３ａを立てた閉鎖状態と開閉板１３ａを手前に倒した開放状態とに可変で、閉鎖状態のときは大入賞口１３に入球不可能であるが開放状態になったときにはきわめて容易に大入賞口１３に入球できる。なお、大入賞口１３は第１大入賞口、第２大入賞口および特定入球口に該当し、大入賞装置１２の内部には特定領域と非特定領域とが設けられており、大入賞口１３に入球した遊技球は特定領域又は非特定領域に択一的に進入する。
【００３７】
また、大入賞装置１２の左右には、内ガイドレール２ａに沿うようにして、普通入賞口１１が配置されている。そして、盤面最下部にはアウト穴１４が設けられている。
なお、遊技盤１には、遊技釘５の他にもランプ風車や板金風車などが設置されているが、これらは周知であるので図示と説明を省略する。
【００３８】
また、本実施例のパチンコ機の機械的な構成（枠装置など）は公知技術に従っているので、図示と説明は省略する。
このパチンコ機の電気的構成は、図２のブロック図に示すとおり、主制御装置４０を中心にして構成されている。なお、このブロック図には、信号の受け渡しを行うためのいわゆる中継基板及び電源回路等は記載していない。また、詳細の図示は省略するが、主制御装置４０、賞球制御装置４５、発射制御装置４４、統合基板４６は、いずれもＣＰＵ、ＲＯＭ、ＲＡＭ、入力ポート、出力ポート等を備えている。
【００３９】
主制御装置４０には、下皿の満タンスイッチ、球タンクの補給スイッチ、発射ハンドルのタッチスイッチ、普通電動役物７に入球した遊技球を検出する第１始動口スイッチ７１、第２始動口１０に入球した遊技球を検出する第２始動口スイッチ１０１、ゲート９に進入した遊技球を検出する普通図柄始動口スイッチ９１、大入賞口１３に入球して特定領域に進入した遊技球を検出するＶスイッチ１３１、大入賞口１３に入球した遊技球を計数するためのカウントスイッチ１３２、普通入賞口１１に入球した遊技球を検出する賞球払い出しスイッチ１１１等の検出信号が入力される。
【００４０】
主制御装置４０は搭載しているプログラムに従って動作して、上述の検出信号などに基づいて遊技の進行に関わる各種のコマンドを生成して賞球制御装置４５、発射制御装置４４、統合基板４６に出力する。
【００４１】
また主制御装置４０は、特別図柄表示部２１の表示を制御し、普通電役ソレノイド７２を制御することで普通電動役物７の開閉を制御し、大入賞口ソレノイド１３３を制御することで大入賞口１３の開閉を制御する。
【００４２】
主制御装置４０からの出力信号は試験信号端子にも出力され、また図柄変動や大当たり等の管理用の信号が盤用外部接続端子に出力されてホールメインコンピュータに送られる。
【００４３】
賞球制御装置４５は、主制御装置４０から送られてくるコマンドに応じて玉切モータを稼働させて賞球を払い出させる。また、パチンコ機にプリペイドカードユニット（ＣＲユニット）が付属する場合、賞球制御装置４５は、ＣＲユニット及びＣＲ精算表示装置と通信して貸球の払い出しも行う。
【００４４】
発射制御装置４４は、主制御装置４０から送られてくるコマンド、タッチスイッチのタッチ信号、発射ハンドルの回動量信号及び発射停止スイッチの信号に基づいて発射モータを制御することで遊技球の発射を制御する。
【００４５】
統合基板４６は、主制御装置４０から送信されてくるデータ及びコマンドを受信し、それらを音制御用及びランプ制御用のデータに振り分けて、各制御部位（音制御装置及びランプ制御装置としての機能部）に分配する。そして、音制御装置としての機能部は、音制御用のデータに基づいて音ＬＳＩを作動させることによってスピーカからの音声出力を制御し、ランプ制御装置としての機能部はランプ制御用のデータに基づいてランプドライバを作動させることによって７セグメントＬＥＤの普通図柄表示部２３の表示制御、特別図柄保留数表示ＬＥＤ２２の点灯制御、普通図柄保留数表示ＬＥＤ２４の点灯制御及び各種ＬＥＤや各種ランプを制御する。
【００４６】
次に、主制御装置４０が、メインルーチンのサブルーチンとして行う第１始動口処理、第２始動口処理及び普通電役制御処理を説明する。
図３に示す第１始動口処理では、主制御装置４０は第１始動口スイッチ７１の検出信号に基づいて、普通電動役物７に遊技球が入球したか否かを判断する（Ｓ１１）。
【００４７】
肯定判断なら大当たり抽選用の乱数カウンタから大当たり抽選乱数を読み込んで保留記憶し、統合基板４６に指示して特別図柄保留数表示ＬＥＤ２２の点灯数を１増加させる（Ｓ１２）。なお、既に４個の保留記憶があれば保留記憶せず、特別図柄保留数表示ＬＥＤ２２の点灯数も増やさない。
【００４８】
次に、保留記憶があれば（Ｓ１３：ＹＥＳ）、その中の最も古いものを読み込んで（その保留記憶は消去）、この乱数が予め定められている大当たり値と一致すれば大当たり、そうでなければ外れとする（Ｓ１４）。
【００４９】
次に、特別図柄表示部２１に特別図柄の変動表示を行わせ、大当たり抽選の結果に応じた特別図柄（大当たり抽選が当たりなら例えば７７７のような３桁揃いの特別図柄、外れならそれ以外の特別図柄）を確定表示させる（Ｓ１５）。
【００５０】
大当たり抽選が当たりで３桁揃いの特別図柄が確定表示されたときは（Ｓ１６：ＹＥＳ）、例えば第１特別遊技作動フラグをセットする等、第１特別遊技を開始するための処理を行う（Ｓ１７）。
【００５１】
この第１特別遊技作動フラグがセットされると第１特別遊技が実行されて、大入賞口１３が連続的に開放作動する。この第１特別遊技の具体的な内容は、周知の第１種パチンコ機における特別遊技と同様であるから詳細説明は省略する。
【００５２】
なお、第１特別遊技では、特定領域（Ｖスイッチ１３１）は、１つのラウンドが終了して一旦閉じられた大入賞口１３を再開放する（次ラウンドを開始する）ために用いられ、１つのラウンドで大入賞口１３に入球した遊技球が特定領域に進入していれば（Ｖスイッチ１３１が遊技球を検出すれば）、次ラウンドが開始される。但し、ラウンドが上限回数になれば、遊技球が特定領域に進入しても次ラウンドは開始されない（第１特別遊技が終了する）。
【００５３】
保留記憶がなかったとき（Ｓ１３：ＮＯ）又は大当たり抽選が外れ（外れの特別図柄が確定表示）のときは（Ｓ１６：ＮＯ）、このルーチンからリターンする。
図４に示す第２始動口処理では、主制御装置４０は第２始動口スイッチ１０１の検出信号に基づいて、第２始動口１０に遊技球が入球したか否かを判断する（Ｓ２１）。
【００５４】
肯定判断なら大入賞口１３を短時間（例えば０．５秒程度）開放させる（Ｓ２２）。
そして、Ｖスイッチ１３１の検出信号に基づいて、遊技球が特定領域に進入したか否かを判断する（Ｓ２３）。
【００５５】
遊技球が特定領域に進入していれば（Ｓ２３：ＹＥＳ）、例えば第２特別遊技作動フラグをセットする等、第２特別遊技を開始するための処理を行う（Ｓ２４）。
この第２特別遊技作動フラグがセットされると第２特別遊技が実行されて、大入賞口１３が連続的に開放作動する。この第２特別遊技の具体的な内容は、遊技球が特定領域に進入（Ｖスイッチ１３１が遊技球を検出）することが次ラウンドを開始する条件であることも含めて第１特別遊技と同様であるが、例えばラウンドの上限回数、大入賞口１３の１回の開放時間、大入賞口１３の１回の開放中に入球し得る球数の上限等が異なる。
【００５６】
第２始動口１０に入球しななかったとき（Ｓ２１：ＮＯ）又は遊技球が特定領域に進入しなかったときは（Ｓ２３：ＮＯ）、このルーチンからリターンする。
図５に示す普通電役制御処理では、主制御装置４０は普通図柄始動口スイッチ９１
の検出信号に基づいて、ゲート９に遊技球が入球したか否かを判断する（Ｓ３１）。
【００５７】
肯定判断なら普通図柄抽選用の乱数カウンタから普通図柄抽選乱数を読み込んで保留記憶し、統合基板４６に指示して普通図柄保留数表示ＬＥＤ２４の点灯数を１増加させる（Ｓ３２）。なお、既に４個の保留記憶があれば保留記憶せず、普通図柄保留数表示ＬＥＤ２４の点灯数も増やさない。
【００５８】
次に、保留記憶があれば（Ｓ３３：ＹＥＳ）、その中の最も古いものを読み込んで（その保留記憶は消去）、この乱数が予め定められている普通図柄当たり値と一致すれば当たり、そうでなければ外れとする（Ｓ３４）。
【００５９】
次に、普通図柄抽選（Ｓ３４）の結果と変動時間を指定するデータを統合基板４６に送信する（Ｓ３５）。これを受信した統合基板４６は、普通図柄表示部２３に普通図柄の変動表示を行わせ、主制御装置４０から指示された普通図柄抽選の結果に応じた普通図柄（抽選が当たりなら例えば７７のような２桁揃いの普通図柄、外れならそれ以外の普通図柄）を確定表示させる。
【００６０】
普通図柄抽選が当たりであれば（Ｓ３６：ＹＥＳ）、変動時間を経過するのを待って（つまり普通図柄の確定表示を待って）、普通電動役物７を開放させる（Ｓ３７）。
保留記憶がなかったとき（Ｓ３３：ＮＯ）又は普通図柄抽選が外れのときは（Ｓ３６：ＮＯ）、このルーチンからリターンする。
【００６１】
以上説明したとおり  このパチンコ機は上振分装置４と下振分装置８を備えており、これら２つの振分装置４、８は、下振分装置８の接続用流入口８１を、上振分装置４の接続用排出口４３から排出された遊技球が入球する位置にして上下に配置されている。
【００６２】
そして、普通電動役物７（第１始動口）は、上振分装置４の第１始動口用排出口４２から排出された遊技球が入球する位置に配され、第２始動口１０は、下振分装置８の第２始動口用排出口８３から排出された遊技球が入球する位置に配され、ゲート９（普通図柄作動口）は、下振分装置８の普通図柄始動口用排出口８２から排出された遊技球が入球する位置に配されている。
【００６３】
つまり、２つの振分装置４、８の合計４つの排出口の内で上振分装置４の接続用排出口４３を除いた３つの排出口４２、８２、８３それぞれが普通電動役物７（第１始動口）、ゲート９（普通図柄作動口）、第２始動口１０に割り当てられている。
【００６４】
このパチンコ機では、普通電動役物７（第１始動口）に遊技球が進入したことを必須条件として特別図柄が変動表示され、その変動表示された特別図柄が当たりを示す態様で確定表示されると第１特別遊技が開始されて大入賞口１３が開放作動する（第１の大当たり）。また、第２始動口１０に遊技球が進入すると大入賞口１３が開放作動し、その大入賞口１３に入球した遊技球が特定領域に進入すると第２特別遊技が開始されて大入賞口１３が開放作動する（第２の大当たり）。また、ゲート９（普通図柄作動口）に遊技球が進入したことを必須条件として普通電動役物７が開放作動する。
【００６５】
第１始動口用排出口４２から排出された遊技球が普通電動役物７（第１始動口）入球する可能性は極めて高く、普通図柄始動口用排出口８２から排出された遊技球は必ずゲート９（普通図柄作動口）に進入し、第２始動口用排出口８３から排出された遊技球は必ず第２始動口１０に入球するので、接続用排出口４３を除いた３つの排出口４２、８２、８３すべてに遊技上の価値を与えることができる。
【００６６】
しかも、第１の大当たりを発生させるための普通電動役物７（第１始動口）と、第２の大当たりを発生させるための第２始動口１０とを２つの振分装置４、８を介して関連付けることができ、また普通電動役物７（第１始動口）と第２始動口とを比較的近い位置にできるので、始動口同士の関連性が判り易く、遊技内容も判り易くなる。
【００６７】
同様に、普通電動役物７（第１始動口）と、これを開放作動させるためのゲート９（普通図柄作動口）とを２つの振分装置４、８を介して関連付けることができ、また普通電動役物７（第１始動口）とゲート９（普通図柄作動口）とを比較的近い位置にできるので、両者の関連性が判り易く、遊技内容も判り易くなる。
【００６８】
また、このパチンコ機では、上振分装置４の流入口４１の上方には、流入口４１に遊技球を誘導するための誘導釘列６が配設されているので、この流入口４１に遊技球が入球する確率が高められている。
【００６９】
しかしながら、下振分装置８の接続用流入口８１には、上振分装置４の接続用排出口４３から排出された遊技球だけでなく、接続用排出口４３を経ない遊技球でも入球できる構成であるから、誘導釘列６を設けても、下振分装置８から排出された遊技球が入球する第２始動口１０及びゲート９（普通図柄作動口）の入球率の問題が少なくなる。
【００７０】
同様に、上振分装置４の第１始動口用排出口４２が入球する普通電動役物７（第１始動口）についても、第１始動口用排出口４２を経ない遊技球が入球できる構成であるから、普通電動役物７（第１始動口）についても入球率の問題が少なくなる。
【００７１】
さらに、このパチンコ機は上述した構成であるので、第１特別遊技が発生する確率と、第２特別遊技が発生する確率とに応じて第１始動口（普通電動役物７）、第２始動口１０、普通図柄作動口（ゲート９）の配置を変更することができ、仕様のバリエーションが豊富になる。
［その他］
例えば、実施例では第１大入賞口、第２大入賞口及び特定入球口を１つの大入賞口１３で兼用しているが、それぞれを別々に設けてもよいし、第１大入賞口が第２大入賞口を兼ねたり、第２大入賞口が特定入球口を兼ねる構成にもできる。
【００７２】
振分装置は、実施例のように接続用排出口４３と接続用流入口８１とを用いて上下に配置される２つがあれば充分であるが、３つ以上の振分装置を備えることもできる。
【図面の簡単な説明】
【００７３】
【図１】実施例のパチンコ機の遊技盤の正面図。
【図２】実施例のパチンコ機の電気ブロック図。
【図３】実施例のパチンコ機で主制御装置が実行する第１始動口処理のフローチャート。
【図４】実施例のパチンコ機で主制御装置が実行する第２始動口処理のフローチャート。
【図５】実施例のパチンコ機で主制御装置が実行する普通電役制御処理のフローチャート。
【符号の説明】
【００７４】
１・・・遊技盤、
３・・・遊技領域、
４・・・上振分装置、
６・・・誘導釘列、
７・・・普通電動役物（第１始動口）、
８・・・下振分装置、
９・・・ゲート（普通図柄作動口）、
１０・・・第２始動口、
１３・・・大入賞口、
２１・・・特別図柄表示部、
２３・・・普通図柄表示部、
４０・・・主制御装置、
４１・・・流入口、
４２・・・第１始動口用排出口（第１排出口）、
４３・・・接続用排出口（第１排出口）、
７１・・・第１始動口スイッチ、
８１・・・接続用流入口（流入口）、
８２・・・普通図柄始動口用排出口（第１排出口）、
８３・・・第２始動口用排出口（第２排出口）、
９１・・・普通図柄始動口スイッチ、
１０１・・・第２始動口スイッチ、
１３１・・・Ｖスイッチ（特定領域）。
【図１】
2006340990.tif 000003
【図２】
2006340990.tif 000004
【図３】
2006340990.tif 000005
【図４】
2006340990.tif 000006
【図５】
2006340990.tif 000007